(57)【要約】【課題】  露光メモリー、未転写メモリー、除電メモリーなどの光メモリーを改善し、ゴーストや帯電ムラが形成画像へ出現することを排して、良好な画像を形成する電子写真方式の画像形成装置を提供することを目的とする。【解決手段】  感光体１を帯電させる帯電手段と、感光体１の表面を露光する露光手段と、トナー像を形成する現像手段と、転写材８を搬送する搬送手段９と、トナー像を転写材８に転写する転写手段５と、感光体１上に残ったトナーを除去するトナー除去手段と、感光体１に除電光を照射して帯電した電荷を除電する除電手段とを備えた画像形成装置１００において、除電光の転写材８による反射光が感光体１に照射された部分について、この反射光による表面電位の変化分に応じて、帯電手段が感光体１を帯電させるために印加する帯電電圧を変化させる制御手段１１を備える。【選択図】        図２
2005266313.tif 000002
【特許請求の範囲】
【請求項１】
感光体を帯電させる帯電手段と、前記感光体の表面を露光して静電潜像を形成する露光手段と、前記静電潜像にトナーを供給してトナー像を形成する現像手段と、転写材を搬送する搬送手段と、前記トナー像を前記転写材に転写する転写手段と、転写後に前記感光体上に残ったトナーを除去するトナー除去手段と、前記感光体に除電光を照射して帯電した電荷を除電する除電手段とを備えた画像形成装置において、
前記除電光の前記転写材による反射光が前記感光体に照射された部分について、この反射光による表面電位の変化分に応じて、前記帯電手段が前記感光体を帯電させるために印加する帯電電圧を変化させる制御手段を備えた画像形成装置。
【請求項２】
前記搬送手段によって搬送される前記転写材の先端を検知する先端検知手段と、後端を検知する後端検知手段とを備え、前記先端検知手段及び前記後端検知手段からの検知結果に基づいて、前記制御手段が前記帯電印加電圧を制御する請求項１に記載の画像形成装置。
【請求項３】
前記除電手段で前記感光体の帯電電荷を除電した後に、前記トナー除去手段で前記感光体上に残ったトナーを除去する請求項１又は２に記載の画像形成装置。
【発明の詳細な説明】
【技術分野】
【０００１】
本発明は、感光体を帯電させる帯電手段と、前記感光体の表面を露光して静電潜像を形成する露光手段と、前記静電潜像にトナーを供給してトナー像を形成する現像手段と、転写材を搬送する搬送手段と、前記トナー像を前記転写材に転写する転写手段と、転写後に前記感光体上に残ったトナーを除去するトナー除去手段と、前記感光体に除電光を照射して帯電した電荷を除電する除電手段とを備えた画像形成装置に関する。
【背景技術】
【０００２】
電子写真方式の画像形成装置において静電潜像が形成される感光体には、有機感光体（ＯＰＣ感光体）、アモルファスシリコン感光体、セレン系感光体などが実用化されている。その中でも、特にアモルファスシリコン感光体は、表面硬度が高く、半導体レーザなどの長波長光に対して高い感度を示し、繰り返し使用による劣化もほとんど認められないという特性を有する。このように、安定性、耐久性に優れていることから電子写真用感光体として広く使用されている。
【０００３】
近年、複写機、プリンタなどの画像形成装置は小型化が進んでおり、それに伴って、感光体ドラムも小径化されている。また、高速化も進んでおり、画像処理時間の高速化と感光体ドラムの小径化の相乗により、画像形成のプロセス時間も短くなっている。そのため、直前の画像形成プロセスで形成された静電潜像が、次のプロセスに影響を及ぼして、いわゆるゴースト画像を出現させるという問題が発生している。
【０００４】
電子写真方式による画像形成プロセスは、概略以下のとおりである。感光体ドラムを帯電させる帯電プロセスと、感光体ドラムの表面を露光して静電潜像を形成する露光プロセスと、静電潜像にトナーを供給してトナー像を形成する現像プロセスと、トナー像を転写材に転写する転写プロセスと、転写後に感光体ドラム上に残ったトナーを除去するトナー除去プロセスと、感光体ドラムに除電光を照射して帯電した電荷を除電する光除電プロセスとを順次、繰り返し行い、転写プロセスで紙等の転写材に転写されたトナー像を定着プロセスで転写材に半永久的に定着させて画像を形成する。
【０００５】
アモルファスシリコン感光体は、非結晶という組成の性質上、タングリングボンドと呼ばれる未結合手を多く有している。そして、この未結合手が感光体ドラム上で局在順位となって、露光プロセスで生じた光キャリアの一部を捕捉する。さらにこの光キャリアの移動度が小さい場合には、除電プロセスの後でも空間電荷として感光層の中に留まる。そして、次の帯電プロセスにおいて、この空間電荷が帯電電荷を打ち消すように働く。打ち消された部分については、全周に亘って同電位になるように帯電した感光体ドラムの表面電位が低くなる。
【０００６】
つまり、感光体ドラム表面の、前回のプロセスで露光された部分（以下、「露光部分」と称する）と、未露光の部分（以下、「未露光部分」と称する）とのうち、露光部分の表面電位が低くなる。この低くなった表面電位によって、前回のプロセスでの静電潜像が次プロセスでも露光されたかのように浮き出し、いわゆるゴースト画像として現れる。
【０００７】
これは露光プロセスにおける光キャリアの補足に起因することから、光メモリーや露光メモリーなどと呼ばれる。以下、本明細書中では、このようなメモリー効果を総称して「光メモリー」と称し、上述したような露光部分と未露光部分との差に起因するメモリー効果を特に「露光メモリー」と称する。
【０００８】
特許文献１（特開２００３−２９５５６３号公報）には、アモルファスシリコン感光体ドラムを用いる電子写真方式の画像形成装置において、ゴースト画像の発生を抑える方法が、本願の発明者より提案されている。
【０００９】
露光メモリーを軽減する方法として、光除電プロセスの終了から次の帯電プロセスまでの時間をある程度の時間に規定する方法が知られている。しかし、画像形成装置の高速化、小型化が進むと、感光体上で除電光を受けて除電される位置（除電光入射位置）から、帯電手段を構成する帯電装置からグリッド電圧を架けられて帯電される位置（以下、「帯電電圧印加位置」と称する）までの物理的距離も短くなる。それに伴って、光除電プロセスの終了から次の帯電プロセスまでの時間も短くなり、上述のある程度の規定時間を充分確保することが困難になる。
【００１０】
そこで、小型化、高速化されてもこの規定時間を充分確保できるように、光除電プロセスと帯電プロセスとの間にトナー除去プロセスを行って、光除電プロセス終了から帯電プロセスまでの時間を長く取れるように構成する。しかし、この場合は、図４に示すように、転写後に感光体１上に残っている未転写トナー（残トナー）Ｄ１によって、照射される除電光（照射光）Ｅ３、Ｅ４、Ｅ５が遮断されて、感光体１表面に達する光量が低下する。すなわち、図４に示すように、照射光に対して減量した除電光（入射光）Ｅ３、Ｓ４、Ｅ５によって、感光体１が除電されることになる。
【００１１】
このような状態では感光体１上で光除電プロセスを終えた部分（除電部分）には帯電電荷と同極性の空間電荷が多く残ることになる。未転写トナーＤ１の存在する部分は、前プロセスでの露光部分である。上述した露光メモリーを無視すれば、次の帯電プロセスで前プロセスの露光部分は、前プロセスの未露光部分に対して感光体１上の表面電位が高くなる。これは、前述の露光メモリーとは逆極性のメモリー効果で、以下、未転写メモリーと呼ぶ。未転写メモリーは形成画像に露光メモリーとは逆濃度のゴースト画像を出現させる。
【００１２】
特許文献１に記載された発明は、このような逆極性を有する２つの光メモリー（露光メモリーと未転写メモリー）を利用してゴースト画像の出現を抑えるようにしたものである。光除電プロセス後にトナー除去プロセスを行い、次の帯電プロセスで感光体１を帯電する電子写真プロセスを用いると共に、光除電プロセスから次の帯電プロセスまでの時間を規定している。こうして、露光メモリーと未転写メモリーとを相殺することによって、光メモリーの影響によるゴースト画像が出現しないようにしている。
【００１３】
【特許文献１】特開２００３−２９５５６３号公報（段落番号００１１〜００１２、表１）
【発明の開示】
【発明が解決しようとする課題】
【００１４】
しかし、小型化が進み、特に小径の感光ドラムを用いた複写機やプリンタにおいては、転写プロセスの直後に光除電プロセスを設けると別の問題が生じる。図５は、転写ローラ５と感光体（感光ドラム）１とに挟まれた転写位置を示す拡大図である。感光体１中の矢印は感光体（感光ドラム）１の回転方向を示している。図５は、用紙８への転写プロセスの後、トナー除去手段６でトナーを除去する前に除電ランプ７で光除電プロセスを実行する場合の構成を示している。
【００１５】
図５に示したように、除電ランプ７が照射した除電光Ｅ２が転写材としての用紙８にも照射されて、その反射光Ｒ２を感光体１が受けることになる。そのため、遮光フィルム７ａを設けて、除電光Ｅ２が転写材（用紙８）へ照射されることを防止している。しかし、それでも正しく照射された除電光Ｅ１の感光体１表面での反射光Ｒ０が転写材（用紙８）で再び反射して、その反射光Ｒ１が感光体１に入射する光路が存在する。遮光フィルム７ａを感光体１へ延長することには物理的な限界があり、この問題は完全には防止できない。
【００１６】
このように転写ローラ５と感光体１（感光ドラム１）とに挟まれた転写位置における転写材（用紙８）の存在の有無によって、感光体１が受ける除電光の光量が変化する。つまり、通紙によって除電光の光量が変化し、次の帯電プロセスにおいて帯電ムラを生じさせる。この現象は、除電光の反射によるメモリー効果であるので、以下では、除電メモリー（反射メモリー）と呼ぶ。
【００１７】
除電メモリーを生じると、以下に述べるような原理で転写材（用紙８）への形成画像の濃度が変化する。つまり、図６に示すように、転写位置に転写材（用紙８）が達した時の感光体１の表面位置（感光体上の転写位置）が、次プロセスの帯電電圧印加位置に達するまでの時間Ｔ２経過以降に帯電された感光体１の表面電位は、転写位置に転写材が存在する期間、すなわち通紙期間Ｔ１に亘って現像位置での感光体表面電位の基準値ＶｒｅｆからＶｄｏｗｎだけ電圧降下する。
【００１８】
現像位置での影響が現れるのは、用紙８が転写位置に達して、その転写位置にある感光体１の表面が現像位置まで回転してくる時間Ｔ５経過後から通紙期間Ｔ１の間である。このＶｄｏｗｎの大きさは、除電ランプ７の光量、除電ランプ７の設置位置、感光体１の特性、用紙搬送ベルト９の色や材質などによって異なるが、数ボルトから十数ボルト程度発生する。そして、この除電光を浴びすぎて電圧降下した部分は、強く露光された状態と等価となり、形成画像の濃度が濃くなる。
【００１９】
本願発明は、上記問題点に鑑みてなされたもので、露光メモリー、未転写メモリー、除電メモリーなどの光メモリーを改善し、ゴーストや帯電ムラが形成画像へ出現することを排して、良好な画像を形成する電子写真方式の画像形成装置を提供することを目的としている。
【課題を解決するための手段】
【００２０】
本発明に係る第一特徴構成は、除電光の転写材による反射光が感光体に照射された部分について、この反射光による表面電位の変化分に応じて、帯電手段が前記感光体を帯電させるために印加する帯電電圧を変化させる制御手段を備えた点にある。
【００２１】
第一特徴構成によれば、感光体が除電メモリーを生じる部分を帯電する場合には、帯電印加電圧を変化させて、帯電後の感光体の表面電位が一定になるように制御手段が制御している。その結果、除電メモリーによって生じる感光体の帯電ムラを抑えることができ、帯電ムラによる乱れを形成画像に出現させることなく、良好な画像を形成できる。
【００２２】
本発明に係る第二特徴構成は、上述した第一特徴構成に加えて、搬送手段によって搬送される転写材の先端を検知する先端検知手段と、後端を検知する後端検知手段とを備え、前記先端検知手段及び前記後端検知手段からの検知結果に基づいて、前記制御手段が前記帯電印加電圧を制御する点にある。
【００２３】
第二特徴構成によれば、除電光の反射物となる転写材の挙動を把握し、把握した情報に基づいて帯電印加電圧を制御するので、帯電印加電圧を変更及び復帰させるタイミングを正確に制御することができる。また、連続して複数の転写材が搬送される場合でも、個別の転写材ごとに上記制御ができるので、確実且つ精密に帯電印加電圧が制御できる。
【００２４】
本発明に係る第三特徴構成は、上述した第一及び第二特徴構成に加えて、前記除電手段で前記感光体の帯電電荷を除電した後に、前記トナー除去手段で前記感光体上に残ったトナーを除去する点にある。
【００２５】
第三特徴構成によれば、転写材への転写直後には感光体に残った残トナーを除去せずに、先に感光体を除電し、その後に残トナーを除去するようにしている。その結果、感光体の露光部分と未露光部分との空間電荷の差によって生じる露光メモリーと、除電光が残トナーの影になって生じる未転写メモリーとを相殺することができる。
【００２６】
第一及び第二特徴構成によって除電メモリーを解消すると共に、小径の感光体ドラム（感光体）によく使用されるアモルファスシリコン感光体で、問題となる露光メモリーも良好に解消できる。従って、電子写真方式の画像形成プロセス、特にアモルファスシリコン感光体を用いた電子写真方式の画像形成プロセスにおいて大きな問題である各種の光メモリー（露光メモリー、未転写メモリー、除電メモリー）を解消し、非常に良好な画像形成を行う画像形成装置が実現できる。
【発明を実施するための最良の形態】
【００２７】
以下、本願発明をタンデム式のカラー画像形成装置に適用した場合の好適な実施例を図面に基づいて説明する。
【００２８】
図２に、本願発明を適用するタンデム式のカラー画像形成装置１００の一例を示す。画像形成装置１００は、給紙トレイ１５、垂直搬送路（給紙搬送路）１４、レジストローラ対１３、レジスト検知センサ１２、画像形成手段１０、用紙搬送ベルト９、定着装置１６、排出搬送路１７、排紙トレイ１８などを有する。
【００２９】
用紙搬送ベルト９は、駆動ローラ９１とテンションローラ９２とに渡って掛け渡され、適度な張力を保ちながら転写材としての用紙８の搬送速度とほぼ同じ速度で回転する。用紙８は、給紙トレイ１５より一枚ずつ取り出され、垂直搬送路１４を通って、用紙搬送ベルト９に導かれる。用紙搬送ベルト９の表面は、用紙８を静電吸着させるためにベルト帯電手段（不図示）によって帯電される。
【００３０】
画像形成手段１０は、ブラック、シアン、マゼンタ、イエローの各色からなるカラー画像形成に対応して、図２の右側よりそれぞれほぼ同じ構造である画像形成手段１０ｋ、１０ｃ、１０ｍ、１０ｙとして設けられている。本実施例の画像形成装置はこの順に各色の画像形成を行う。図３に、一つの画像形成手段１０の概略構成を示す。
【００３１】
本実施例における画像形成手段１０は図３に示すように、アモルファスシリコン感光体である感光体１、感光体１を帯電する帯電手段を構成するスコロトロン型の帯電装置２、帯電された感光体１の表面を露光して静電潜像を形成する露光手段を構成するＬＥＤプリントヘッドを有した露光装置３、露光された静電潜像にトナーを供給して感光体１上にトナー像を形成する現像手段を構成する現像装置４、感光体１上に現像されたトナー像を転写材としての用紙８に転写する転写手段を構成する転写ローラ５、転写後に感光体１上に残ったトナーを除去するトナー除去手段を構成する摺擦ローラ６ａと廃トナースクリュー６ｂとクリーニングブレード６ｃとトナー受け６ｄとを有するトナー除去装置６、感光体１に除電光を照射して感光体１表面に帯電した電荷を除去する除電手段を構成する除電ランプ７、を有している。これらを、樹脂でできた筐体に組み付けることにより一つのユニットを形成し、画像形成装置１００本体に取り付ける。なお、感光体１の回転方向、用紙８の搬送方向は図３中に矢印で示した方向である。
【００３２】
感光体１は、本例ではφ３０ｍｍのアモルファスシリコン感光体ドラムを用いて、周速１１６ｍｍ／ｓで回転している。帯電装置２は、高圧を印加してグリッド２ｇの電位（グリッド電圧Ｖｇｒｉｄ）を約４５０Ｖにすることによって、感光体１の表面電位が現像位置で約３００Ｖになるように正帯電させる。これを帯電プロセスと称する。
【００３３】
帯電した感光体１の表面には、ＬＥＤプリントヘッドを有する露光装置３が、画像情報に応じてピーク波長６８５ｎｍのＬＥＤ光を０．４５μＪ／ｃｍ２程度の光量で照射することで、静電潜像が形成される。これを露光プロセスと称する。
【００３４】
現像装置４は、本実施例では正帯電するトナーとキャリアとを所定濃度になるように撹拌混合した現像剤を用いて、露光プロセスで露光された静電潜像を現像し、感光体１上にトナー像を形成する。本例では、現像バイアス電位は約２００Ｖである。露光画像の白色部（未露光部分）に相当する感光体１の表面電位は現像位置において約３００Ｖである。露光画像の有色部（露光部分）には、画像情報に応じた強さの露光によって電位差、いわゆるコントラスト電位が現れており、このコントラスト電位に応じた量の現像剤によって有色に現像される。これを現像プロセスと称する。
【００３５】
上記のように形成されたトナー像は、転写ローラ５と感光体１とに挟まれた位置である転写位置に用紙搬送ベルト９によって搬送されてくる用紙８に転写される。転写ローラ５には、感光体１の表面電位とは逆極性の電圧が印加されており、これによってトナー像が用紙８上に転写される。これを転写プロセスと称する。
【００３６】
トナー像が転写された後、ピーク波長６６０ｎｍのＬＥＤを有する除電ランプ７によって、７μＪ／ｃｍ２程度の光量の除電光を感光体１に照射する。この照射によって感光体１を除電し、感光体１の表面電位を均一に下げる。これを光除電プロセスと称する。なお、除電ランプ７の下部には、除電光が用紙８を照射することを防止する遮蔽フィルム７ａが設けられている。
【００３７】
光除電プロセスに続いて、トナー除去装置６を用いて用紙８に転写されずに感光体１の表面に残ったトナーを除去する。これをトナー除去プロセスと称する。
【００３８】
以上説明したように、帯電プロセスと、露光プロセスと、現像プロセスと、転写プロセスと、光除電プロセスと、トナー除去プロセスとで一連の画像形成プロセスを構成し、これを繰り返すことによって、画像形成装置１００に入力された画像情報全体の画像を形成する。
【００３９】
画像形成装置１００は、上記画像形成プロセスを画像形成手段１０のそれぞれで、所定の時間差をおいて並行して行う。本例では、ブラック、シアン、マゼンタ、イエローの順に感光体１上に画像形成したトナー像を、用紙搬送ベルト９上を搬送される用紙８に対してずれることがないように転写することで、フルカラー画像を形成する。なお、ずれなくフルカラー画像を形成するための各画像形成手段１０で画像形成を行う時間差の制御などは、本実施例では図２に示したように、制御手段としてのマイクロコンピュータ（以下、マイコン）１１が行う。制御手段には論理回路や論理回路の集積回路を用いてもよい。
【００４０】
マイコン１１は、用紙８の先端をレジストローラ対１３に設けられたレジストクラッチがオンすることによって検知し、用紙８の後端をレジストセンサ１２に設けられたレジストスイッチがオフすることによって検知する。そして、各画像処理手段１０の物理的な配置距離や、用紙搬送ベルト９上を搬送される用紙８の搬送速度などから計算して、用紙８に転写されるフルカラー画像にずれが生じないように各画像処理手段１０を制御する。
【００４１】
用紙８上に転写されたフルカラー画像は、本実施例では定着ローラを有する定着装置１６において用紙８に溶融定着される。これを定着プロセスと称する。定着が終わると、用紙８は排出搬送路１７を経由して、排紙トレイ１８上へ排出される。以上が、画像形成装置１００が画像形成を行う電子写真プロセスである。
【００４２】
なお、本例では転写プロセスに続いて、除電手段を構成する除電ランプ７で感光体１に帯電した電荷を除電した後に、トナー除去手段を構成するトナー除去装置６で感光体１上に残ったトナーを除去する構成としている。
【００４３】
つまり、転写材である用紙８への転写の後で感光体１に残った残トナーを除去せず、先に感光体１を除電し、その後に残トナーを除去するようにしている。その結果、互いに逆極性を有する光メモリーである、露光メモリーと未転写メモリーとを良好に相殺できる。感光体１の露光部分と未露光部分との空間電荷の差によって生じる露光メモリーと、除電光が露光部分に残った残トナーの影になって生じる未転写メモリーとは、共に感光体１の露光部分に対して生じ、その極性はすでに述べたように互いに逆極性である。従って、除電ランプ７とトナー除去装置６との配置や、除電ランプ７の光量や波長を適切に設定することで、この２つの光メモリーをうまく相殺できる。
【００４４】
次に、このように構成された画像形成装置１００に生じる除電メモリーを改善する方法について説明する。除電メモリーの発生原理については既に図４〜６を用いて説明したが、本実施例に合わせて再度簡単に説明する。なお、本実施例において、除電ランプ７の除電光Ｅ２を遮光する遮光フィルム７ａは、黒色又は濃い色のフィルムを用いている。これは、除電ランプ７の上部に位置するトナー除去装置６から舞い落ちてくるトナー粉によって遮光フィルム７ａが汚れる影響で、感光体１へ照射される除電光の光量が変化することを防止するためである。
【００４５】
除電メモリーの発生タイミングは、図６に示したように転写材としての用紙８が、転写ローラ５と感光体１とに挟まれた転写位置にあって、感光体１と接触しているタイミングにほぼ同期する。すなわち、転写位置に用紙８が存在した通紙期間Ｔ１にほぼ等しい期間に亘って、転写位置にある感光体１の表面が現像位置まで回転してくる時間Ｔ５だけ遅れて現像位置での感光体１の表面電位が降下する。除電メモリーによる感光体１の表面電位の変化は、図６に示したように矩形的であり、転写位置に用紙８が存在したタイミングから、時間Ｔ５だけずれた波形となる。
【００４６】
ここでマイコン１１は、用紙８が各画像形成手段１０ｋ、１０ｃ、１０ｍ、１０ｙそれぞれの転写位置に存在するタイミングを知ることができる。すでに説明したようにマイコン１１は、レジストローラ対１３とレジストセンサ１２とから送られる情報によって、搬送ベルト９上を搬送される用紙８の先端と後端とを検知する。
【００４７】
すなわち、図１に示すように、用紙８の先端検知をしてから所定の時間Ｔ３経過後に用紙８が転写位置に搬入され、後端検知をしてから所定の時間Ｔ４経過後に用紙８が転写位置から搬出されていくと、マイコン１１は計算する。時間Ｔ３及びＴ４は、４つの画像形成手段１０それぞれによって異なり、マイコン１１はそれぞれの数値を計算する。
【００４８】
同様にして用紙８が転写位置に達して除電メモリを発生した部分の感光体１（除電メモリ発生部分）が、次プロセスの帯電位置に達するまでの時間Ｔ２、次プロセスの現像位置に達するまでの時間Ｔ５も、マイコン１１が計算する。次プロセスの帯電位置に達するまでの時間は、用紙８の先端検知タイミングを起点にして時間Ｔ６を計算してもよい。なお、これらの時間Ｔ２、Ｔ５、Ｔ６も４つの画像形成手段１０それぞれによって異なり、マイコン１１はそれぞれの数値を計算する。
【００４９】
これらの計算結果より、マイコン１１は、例えば用紙８の先端検知から時間Ｔ６経過後に、帯電装置２が感光体１を帯電するために印加するグリッド電圧を通常のＶｇｒｉｄから、Ｖｃｔｒｌだけ高い値に変更するように、帯電装置２を制御する。そして、通紙期間Ｔ１に亘って変更したグリッド電圧（Ｖｇｒｉｄ＋Ｖｃｔｒｌ）を印加した後に元のグリッド電圧（Ｖｇｒｉｄ）に復帰させる。あるいは、用紙８の後端検知から時間Ｔ７経過後に元のグリッド電圧Ｖｇｒｉｄに復帰させてもよい。なお、この時間Ｔ７も４つの画像形成手段１０それぞれによって異なる値である。
【００５０】
マイコン１１によってこのように制御すると、図１に示すように除電メモリーはグリッド電圧の制御によって打ち消され、現像位置での感光体１の表面電位は、Ｖｒｅｆの一定電位を保持できる。なお、図１の波形中に点線で示した部分は、除電メモリーの影響を受けた場合の現像位置での感光体１の表面電位である。
【００５１】
このように、搬送手段（用紙搬送ベルト９）によって搬送される転写材（用紙８）の先端を検知する先端検知手段（レジストクラッチ、レジストローラ対１３）と、後端を検知する後端検知手段（レジストスイッチ、レジストセンサ１２）とを備え、これら先端検知手段及び後端検知手段からの検知結果に基づいて、制御手段（マイコン１１）が帯電印加電圧（グリッド電圧）を制御することによって、現像位置での除電メモリーの影響を良好に排除することが可能となる。
【００５２】
なお、除電メモリーの影響で、現像位置に現れる表面電位の電圧降下は、実験的には現像位置での感光体１の表面電位Ｖｒｅｆを３００Ｖとすると、約５〜１０Ｖ程度である。また、グリッド電圧の制御範囲は、表面電位Ｖｒｅｆが変化する割合に応じて制御するのが好ましい。例えば、表面電位Ｖｒｅｆが１０Ｖ降下する場合であれば、約３．３％の降下である。通常のグリッド電圧（Ｖｇｒｉｄ）が４５０Ｖだとすれば、約３．３％高い４６５Ｖの電圧をグリッド電圧（Ｖｇｒｉｄ＋Ｖｃｔｒｌ）として印加する。
【００５３】
すなわち、現像手段が感光体１の静電潜像にトナーを供給してトナー像を形成する現像位置での感光体１の表面電位と、その表面電位が除電光の影響によって降下又は上昇する変化電圧との割合に応じて、感光体１がその現像位置に達する前に帯電手段が帯電印加電圧を上昇又は降下させて感光体１を帯電するように制御手段が制御して、現像位置での感光体１の表面電位が除電光の影響によって降下又は上昇しないようにする。
【００５４】
また、本実施例では不図示であるが、この種の画像形成装置には、用紙判別手段を有しているものもある。例えば、青色ＬＥＤなどを用いた反射型の光センサの出力から、ＯＨＰシートのようなフィルムか、カラー印刷専用の上質紙か、一般的な普通紙か、再生紙かなどを判別する用紙判別手段を有しているものがある。
【００５５】
転写位置に存在する転写材（用紙８）による除電光の反射は、転写材の素材によって異なる。従って、除電メモリーが与える現像位置での感光体１の表面電位への影響は、転写材の素材によって異なる。そこで、例えば上述したような用紙判別手段又は用紙判別手段とその用紙判別手段の出力から用紙種類を判断する制御手段とによって、転写材の種類を判別して、現像位置での感光体１の表面電位が除電光の影響によって降下又は上昇しないように制御手段がグリッド電圧を制御するようにすると、さらに好適である。
【００５６】
なお、用紙判別手段は、本実施例においては、画像形成プロセスの開始前に用紙判別を完了するように、給紙トレイ１５や給紙搬送路（垂直搬送路）１４などの初段の画像形成手段１０（本実施例では画像形成手段１０ｋ）に至るまでの間に設置するのが好ましい。
【００５７】
以上説明したように、本願発明によって、露光メモリー、未転写メモリー、除電メモリーなどの光メモリーを改善し、ゴーストや帯電ムラが形成画像へ出現することを排して、良好な画像を形成する電子写真方式の画像形成装置を提供することができる。
【図面の簡単な説明】
【００５８】
【図１】本発明の実施例に係る帯電電圧制御実施時の感光体表面電位等を示す波形図
【図２】本発明の実施例に係る画像形成装置の概略構成を示す略図
【図３】図２の画像形成装置を構成する画像形成手段の概略構成を示す略図
【図４】未転写メモリーの発生原理を説明する概念図
【図５】除電メモリーの発生原理を説明する概念図
【図６】除電メモリーが発生した場合の感光体表面電位等を示す波形図
【符号の説明】
【００５９】
１        感光体
２        帯電装置
３        露光装置
４        現像装置
５        転写ローラ
６        トナー除去装置
７        除電ランプ
８        用紙
９        用紙搬送ベルト
１０      画像形成手段
１１      マイコン
１２      レジストセンサ
１３      レジストローラ対
【図１】
2005266313.tif 000003
【図２】
2005266313.tif 000004
【図３】
2005266313.tif 000005
【図４】
2005266313.tif 000006
【図５】
2005266313.tif 000007
【図６】
2005266313.tif 000008